(57)【要約】【課題】二種類の異なる液体を別々に保存して使用直前に混合して使用又は順次使用するための二種類の液体を収容できる塗布器を提供すること。【解決手段】二種類の液体を収容できる塗布器であって、中空細長管状摘み体を有し、其の一端を密封し、他の一端を開放し、密封側に近いところに開封機構を設けてある。前記中空細長管状摘み体の一端又は両端に塗布器の先端を添え付けてある。第一種液体は中空細長管状摘み体の中に入れられ、粘性物質によって開放側と隔離されている。第二種液体は塗布器の先端に吸収されており、空気が開封機構から近くの密封側へ進入すると、前記中空細長管状摘み体の中の第一種液体が粘性物質を経由して流れ、塗布器先端の第二種液体と混合して使用される。【選択図】図１
0003125041.tif 000002
【実用新案登録請求の範囲】
【請求項１】
中空細長管状摘み体を有し、その一端が密封され、他の一端が開放され、前記密封側に近いところに開封機構を設け、
前記中空細長管状摘み体の前記開放側に塗布器の先端を添え付け、
第一種液体を前記中空細長管状摘み体の中に入れ、粘性物質によって前記開放側と隔離し、
前記第一種液体は、前記中空細長管状摘み体の開封機構が打開されたとき前記塗布器の先端に吸収され、
前記塗布器の先端に既に吸収済の第二種液体と共同使用されることを特徴とする、
二種類の液体を収容できる塗布器。
【請求項２】
前記中空細長管状摘み体の前記密封側に第二塗布器の先端が添え付けられていることを特徴とする、請求項１に記載の塗布器。
【請求項３】
前記塗布器の先端は、吸収性を持った物質によって作られることを特徴とする、請求項１に記載の塗布器。
【請求項４】
前記開封機構は、切り取り線であることを特徴とする、請求項１に記載の塗布器。
【請求項５】
前記開封機構は、切り取り線であることを特徴とする、請求項３に記載の塗布器。
【請求項６】
前記粘性物質は、シリコン樹脂であることを特徴とする、請求項１に記載の塗布器。
【請求項７】
前記粘性物質は、シリコン樹脂であることを特徴とする、請求項３に記載の塗布器。
【請求項８】
前記粘性物質は、シリコン樹脂であることを特徴とする、請求項４に記載の塗布器。
【請求項９】
前記塗布器の先端は、前記第二種液体によって飽和状態に湿潤していることを特徴とする、請求項１に記載の塗布器。
【請求項１０】
前記塗布器の先端は、前記第二種液体によって一部分のみが湿潤飽和していることを特徴とする、請求項１に記載の塗布器。
【請求項１１】
中空細長管状摘み体を有し、密封側及び開放側を備え、且つ前記密封側に近いところに折れやすい部位を設け、
吸収性の塗布器先端を前記中空細長管状摘み体の開放側に添え付け、
第一種液体を前記中空細長管状摘み体に入れてシリコン樹脂によって前記開放側と隔離し、前記第二種液体は前記塗布器の先端に吸収され、
前記中空細長管状摘み体の折れやすい部位にて開封すると、前記第一種液体が前記シリコン樹脂を経由して流れ、前記吸収性を有する塗布器の先端に吸収され、前記第二種液体と共同使用されることを特徴とする、
二種類の液体を収容できる塗布器。
【請求項１２】
前記中空細長管状摘み体の前記密封側に第二塗布器の先端が添え付けられていることを特徴とする、請求項１１に記載の塗布器。
【請求項１３】
前記塗布器の先端は、前記第二種液体によって飽和状態に湿潤していることを特徴とする請求項１１に記載の塗布器。
【請求項１４】
前記塗布器の先端は、前記第二種液体によって部分的にのみ飽和状態に湿潤していることを特徴とする、請求項１１に記載の塗布器。
【考案の詳細な説明】
【技術分野】
【０００１】
本考案は、二種類の液体を収容できる塗布器に関し、特に、二種類の液体を保存及び放出できる中空管状塗布装置に関するものである。
【背景技術】
【０００２】
塗り付け式の塗布器には、通常管状摘み体の一端又は両端に吸収性塗布器の先端を添え付けている。塗布器の先端は、綿又は泡沫吸収性物質によって作成されている。管状の摘み体は、木材、紙又はプラスチック材料で作られていて、またこれらは中実又は中空のどちらでもよい。
【０００３】
塗り付け式塗布器の応用方式は数多くある。塗り付け式塗布器を使用することは、各種の物質、液体、洗剤、クリーム又はその他多種類の化学薬品及び薬物を塗り付け出来る便利で衛生的である。
通常、まず乾燥した塗布器の先端を塗布用液体と接触させて液体を吸収させる。次に、湿潤した塗布器の先端を塗布面に接触させて塗布面に液体を吸収させる。
【０００４】
アメリカ特許第5,702,035号（特許権者：曹氏）に掲示された設計では、その中空管状摘み体には塗布器の先端部へ続けて放出できる液体を収容して、塗布に備えている。しかし、前記アメリカ特許第5,702,035号の中空管状摘み体の塗布器は、一種類の液体しか収容できない。しかし或る種の応用面では、二種類の異なる液体を別々に保存して使用直前に混合して使用するか、又は順次使用する必要がある。
【考案の開示】
【考案が解決しようとする課題】
【０００５】
本考案の目的は、二種類の異なる液体を別々に保存して使用直前に混合して使用又は順次使用するための二種類の液体を収容できる塗布器を提供することにある。
【課題を解決するための手段】
【０００６】
本考案は、中空細長管状摘み体の一端を密封し、他の一端を開放し、塗布器の先端を前記中空細長管状摘み体の一端又は両端に添え付けてある。前記中空細長管状摘み体の密封側に近いところに開封機構を設けてある。前記中空細長管状摘み体の中に収容された第一種液体は粘性物質によって開放側と隔離してあり、第二種液体は塗布器先端に吸収されている。空気が開封機構から近くの密封側に進入して、塗布器の先端がただ部分的に第二種液体によって湿潤した場合、中空細長管状摘み体の中の第一種液体は粘性物質を経由して流れ出し、塗布器先端の第二種液体と混合して使われる。若し塗布器の先端が完全に第二種の液体によって飽和した場合、第一種液体は直ぐには塗布器の先端に流れず、先ず第二種液体が塗布されて一部分を消耗し、しかる後第一種液体が塗布器の先端へ流れる。
【０００７】
すなわち、本願の第１考案は、中空細長管状摘み体を有し、その一端が密封され、他の一端が開放され、前記密封側に近いところに開封機構を設け、前記中空細長管状摘み体の前記開放側に塗布器の先端を添え付け、第一種液体を前記中空細長管状摘み体の中に入れ、粘性物質によって前記開放側と隔離し、前記第一種液体は、前記中空細長管状摘み体の開封機構が打開されたとき前記塗布器の先端に吸収され、前記塗布器の先端に既に吸収済の第二種液体と共同使用されることを特徴とする、二種類の液体を収容できる塗布器を提供する。
本願の第２考案は、前記中空細長管状摘み体の前記密封側に第二塗布器の先端が添え付けられていることを特徴とする、前記第１考案に記載の塗布器を提供する。
本願の第３考案は、前記塗布器の先端は、吸収性を持った物質によって作られることを特徴とする、前記第１考案に記載の塗布器を提供する。
本願の第４考案は、前記開封機構は、切り取り線であることを特徴とする、前記第１考案に記載の塗布器を提供する。
本願の第５考案は、前記開封機構は、切り取り線であることを特徴とする、前記第３考案に記載の塗布器を提供する。
本願の第６考案は、前記粘性物質は、シリコン樹脂であることを特徴とする、前記第１考案に記載の塗布器を提供する。
本願の第７考案は、前記粘性物質は、シリコン樹脂であることを特徴とする、前記第３考案に記載の塗布器を提供する。
本願の第８考案は、前記粘性物質は、シリコン樹脂であることを特徴とする、前記第４考案に記載の塗布器を提供する。
本願の第９考案は、前記塗布器の先端は、前記第二種液体によって飽和状態に湿潤していることを特徴とする、前記第１考案に記載の塗布器を提供する。
本願の第１０考案は、前記塗布器の先端は、前記第二種液体によって一部分のみが湿潤飽和していることを特徴とする、前記第１考案に記載の塗布器を提供する。
【０００８】
本願の第１１考案は、中空細長管状摘み体を有し、密封側及び開放側を備え、且つ前記密封側に近いところに折れやすい部位を設け、吸収性の塗布器先端を前記中空細長管状摘み体の開放側に添え付け、第一種液体を前記中空細長管状摘み体に入れてシリコン樹脂によって前記開放側と隔離し、前記第二種液体は前記塗布器の先端に吸収され、前記中空細長管状摘み体の折れやすい部位にて開封すると、前記第一種液体が前記シリコン樹脂を経由して流れ、前記吸収性を有する塗布器の先端に吸収され、前記第二種液体と共同使用されることを特徴とする、二種類の液体を収容できる塗布器を提供する。
本願の第１２考案は、前記中空細長管状摘み体の前記密封側に第二塗布器の先端が添え付けられていることを特徴とする、前記第１１考案に記載の塗布器を提供する。
本願の第１３考案は、前記塗布器の先端は、前記第二種液体によって飽和状態に湿潤していることを特徴とする、前記第１１考案に記載の塗布器を提供する。
本願の第１４考案は、前記塗布器の先端は、前記第二種液体によって部分的にのみ飽和状態に湿潤していることを特徴とする、前記第１１考案に記載の塗布器を提供する。
【考案の効果】
【０００９】
本考案によれば、二種類の異なる液体を別々に塗布器の中に保存して使用直前に混合して使用、又は順次使用することが出来る。
【考案を実施するための最良の形態】
【００１０】
図１は、本考案の好ましい実施例である。
本案実施例では、二種類の液体を収容する塗布器は、中空細長管状摘み体１と、密封側２及び開放側３とによって構成される。
塗布器の先端４は、中空細長管状摘み体１の開放側３に添え付けてある。
【００１１】
第一種液体５は中空細長管状摘み体１の中に入れられ、粘性物質６によって開放側と隔離されている。
より適した粘性物質６はシリコン樹脂であるが、その他適当な粘性物質を使用してもよい。
【００１２】
一本の切り取り線のような開封機構７は、密封側２に近い位置にある。
【００１３】
第二種液体は塗布器の先端４に吸収されるべきものである。若し第二種液体が非揮発性のもので、例えば、油性液体である場合、塗布器の先端４は、第二種液体の蒸発を防ぐための包装をする必要はない。
【００１４】
若し第二種液体が揮発性のもので、例えば水性液体、又はアルコールである場合は、包装を加えて第二種液体が塗布器の先端４から蒸発するのを防止しなければならない。
【００１５】
また塗布器の先端４が完全に第二種液体によって飽和した場合、塗布器の先端４は、制止器の役割をして第一種液体５が開封した直後に流れ出すことを阻止する。
つまり前記開封直後では、第二種液体が先に使用される。
【００１６】
第二種液体が一部分消耗してから、第一種液体５が塗布器の先端へ流れ始め、引き続き使用される。
【００１７】
本案実施例は特に、錆止め剤や清潔剤のような液体を先に使用し、しかる後、潤滑剤や保護剤のような第二種液体を使用する場合に適している。
【００１８】
塗布器の先端４は、第二種液体で部分的に湿潤させることによって、第一種液体５の流通を許し、且つ中空細長管状摘み体１から流れ出して第二種液体と混合して同時に使用できるようにしてもよい。
【００１９】
本案実施例は、特に二種類の別々に分かれた液体を混合して共同使用する場合に適している。
【００２０】
開封機構７のところで中空細長管状摘み体１を打開すると、本来元の位置に滞留する第一種液体が粘性物質６を経由して流れ出し、拡散して中空細長管状摘み体１の内部に付着し、しかる後塗布器の先端４へ入り、第二種液体と混合して使用される。
【００２１】
以上述べたことは、本考案の好ましい実施例であるが、本考案の実施範囲を制限するものではなく、凡そ本考案の請求範囲内においてなされる等価変更又は修飾は、全て本考案の請求範囲に含まれるものとする。
【図面の簡単な説明】
【００２２】
【図１】本考案に係る二種類の液体を収容できる塗布器の実施例略図である。
【符号の説明】
【００２３】
１中空細長管状摘み体
２密封側
３開放側
４塗布器の先端
５第一種液体
６粘性物質
７開封機構
【図１】
0003125041.tif 000003